(57)【特許請求の範囲】
【請求項１】
患者に対する再診療の再診予約日の入力を受け付ける実行部と、
前記患者に実施される検査の予約画面の表示要求を受け付けた場合に、複数の検査の種別ごとに、再診予約日を検査予約日に利用可能か否かを示す情報を記憶する記憶部を参照し、前記患者に実施される検査は前記実行部が受け付けた前記再診予約日を検査予約日に利用可能か否かを判定する判定部と、
前記判定部によって利用可能と判定された場合に、前記再診予約日を前記検査予約日に利用可能な形式で前記患者に実施される検査の予約画面を出力する出力部と
を備えたことを特徴とする診療情報入力装置。
【請求項２】
前記出力部は、前記判定部によって利用可能と判定された場合に、前記予約画面に含まれる検査予約日入力フィールドに、現在日付を初期表示するとともに、入力済みの再診予約日を検査予約日に利用する指示を受け付けるボタンを含む予約画面を出力することを特徴とする請求項１に記載の診療情報入力装置。
【請求項３】
前記判定部は、前記検査が当日に検査結果が出る種別の検査である場合に、利用可能と判定することを特徴とする請求項１又は２に記載の診療情報入力装置。
【請求項４】
前記判定部は、前記検査が予約枠の指定を要しない種別の検査である場合に、利用可能と判定することを特徴とする請求項１〜３のうちいずれか一つに記載の診療情報入力装置。
【請求項５】
前記出力部は、前記判定部によって利用可能でないと判定された場合に、前記再診予約日を利用できない形式の前記患者に実施される検査の予約画面を出力することを特徴とする請求項１に記載の診療情報入力装置。
【請求項６】
前記出力部は、前記判定部によって利用可能と判定された場合に、前記予約画面に含まれる検査予約日入力フィールドに、現在日付を表示することを特徴とする請求項１に記載の診療情報入力装置。
【請求項７】
コンピュータに、
患者に実施される検査の予約画面の表示要求を受け付けた場合に、複数の検査の種別ごとに、前記患者に対する再診療の再診予約日を検査予約日に利用可能か否かを示す情報を対応付けて記憶する記憶部を参照し、前記患者に実施される検査は前記再診予約日を検査予約日に利用可能か否かを判定し、
前記利用可能か否かを判定する処理によって利用可能と判定された場合に、前記再診予約日を前記検査予約日に利用可能な形式で前記患者に実施される検査の予約画面を出力する
処理を実行させることを特徴とする診療情報入力プログラム。
【請求項８】
ネットワークを介して端末に接続されたサーバ装置によって実行される診療情報入力方法であって、
患者に実施される検査の予約画面の表示要求を受け付けた場合に、複数の検査の種別ごとに、前記患者に対する再診療の再診予約日を検査予約日に利用可能か否かを示す情報を対応付けて記憶する記憶部を参照し、前記患者に実施される検査は前記再診予約日を検査予約日に利用可能か否かを判定し、
前記利用可能か否かを判定する処理によって利用可能と判定された場合に、前記再診予約日を前記検査予約日に利用可能な形式で前記患者に実施される検査の予約画面を出力する
ことを特徴とする診療情報入力方法。
【発明の詳細な説明】
【技術分野】
【０００１】
本発明は、診療情報入力装置、診療情報入力プログラム及び診療情報入力方法に関する。
【背景技術】
【０００２】
近年、医療現場では、電子カルテシステムが広く用いられている。電子カルテシステムを利用する利用者は、受診者の診察結果や検査結果などの診療情報を電子カルテシステムのデータベースに登録する。なお、利用者は、例えば、医師や看護師、薬剤師など医療従事者を含む。また、受診者は、例えば、病人やけが人などの患者のみならず、健康診断を受診する者や妊産婦などの健常者も含む。また、以下では、電子カルテシステムにおいて用いられるカルテを「電子カルテ」と記載する。
【０００３】
例えば、電子カルテシステムでは、電子カルテに診療情報を登録するために、電子カルテシステムに対応したエディタ（以後、単に「エディタ」と表記する）が用いられる。例えば、外来の受診者を診察する場合、医師は手元の端末でエディタを起動する。そして、医師は受診者を診察し、診察結果や検査結果、治療方法、今後のプランなどの診療情報を、エディタを用いて入力する。そして、入力された診療情報がデータ保存されると、入力された診療情報のデータが電子カルテシステムのデータベースに送信され、電子カルテが更新される。
【０００４】
また、例えば、エディタ上で提供されるツールとして、再診予約ツールと検査予約ツールがある。再診予約ツールは、再診の予約を行うためのツールであり、例えば、再診の内容や予約日の入力を受け付ける。また、検査予約ツールは、検査の予約を行うためのツールであり、例えば、検査の内容や予約日の入力を受け付けたり、検査部門に対してオーダを発行したりする。
【０００５】
また、例えば、電子カルテシステムにおいて、検査の予約を支援する技術も存在する。この技術は、例えば、２つの検査を同時に予約する際に、１つ目の検査を予約すると、その予約日から最も近い日程で２つ目の検査を予約する。
【先行技術文献】
【特許文献】
【０００６】
【特許文献１】特開２００８−２６９１２４号公報
【特許文献２】特開２００３−８５２７７号公報
【発明の概要】
【発明が解決しようとする課題】
【０００７】
しかしながら、上記従来技術では、医師の入力負担は軽いものではなかった。例えば、外来の受診者に対して再診の予約と検査の予約とを行う場合に、受診者の負担を考慮して再診の予約日と検査の予約日とを同日にすることがある。この場合、医師が再診予約ツールと検査予約ツールのそれぞれに同じ日付を入力する必要があったため、医師の入力負担は軽いものではなかった。
【０００８】
また、上記の問題を解決するために、再診予約を行った後に、入力済みの再診予約日を検査予約日として引継ぎ、検査予約日の入力を省略することが考えられる。しかし、検査の種別によっては、必ずしも再診と同日に行うことができない検査も存在する。例えば、検査部門に検査の予約枠が設定されていて、診療科の都合のみで検査予約を行えない場合には、その検査は必ずしも再診と同日に行うことができない。このような場合には、入力済みの再診予約日を検査予約ツールに引継いだとしても、検査の予約日を改めて入力することを要するため、医師の負担は軽いものではなかった。
【０００９】
開示の技術は、上記に鑑みてなされたものであって、医師の入力負担を軽減することができる診療情報入力装置、診療情報入力プログラム及び診療情報入力方法を提供することを目的とする。
【課題を解決するための手段】
【００１０】
本願の開示する技術は、一つの態様において、実行部と、判定部と、出力部とを備える。実行部は、患者の診療情報を表示する表示画面に再診予約日の入力を受け付ける。判定部は、患者に実施される検査の予約画面の表示要求を受け付けた場合に、検査を含む複数の検査の種別ごとに、再診予約日を検査予約日に利用可能か否かを示す情報を記憶する記憶部を参照する。判定部は、実行部が受け付けた前記再診予約日を検査予約日に利用可能か否かを判定する。出力部は、判定部によって利用可能と判定された場合に、再診予約日を検査予約日に利用可能な形式で予約画面を出力する。
【発明の効果】
【００１１】
本願の開示する技術の一つの態様によれば、医師の入力負担を軽減することができるという効果を奏する。
【図面の簡単な説明】
【００１２】
【図１】図１は、実施例１に係る診療情報入力装置の機能構成を示すブロック図である。
【図２】図２は、引継記憶部のデータ構造の一例を示す図である。
【図３】図３は、実行部により出力されるエディタ画面の一例を示す図である。
【図４】図４は、検査一覧の表示画面の一例を示す図である。
【図５】図５は、出力部により出力される予約画面の一例を示す図である。
【図６】図６は、出力部により出力される予約画面の一例を示す図である。
【図７】図７は、実施例１に係る診療情報入力装置の処理手順を示すフローチャートである。
【図８】図８は、実施例１に係る診療情報入力装置の処理手順を示すフローチャートである。
【図９】図９は、実施例２に係る診療情報入力装置の機能構成を示すブロック図である。
【図１０】図１０は、出力部により出力される予約画面の一例を示す図である。
【図１１】図１１は、実施例２に係る診療情報入力装置の処理手順を示すフローチャートである。
【図１２】図１２は、データセンタへの適用例を説明するための図である。
【図１３】図１３は、診療情報入力プログラムを実行するコンピュータを示す図である。
【発明を実施するための形態】
【００１３】
以下に、本願の開示する診療情報入力装置、診療情報入力プログラム及び診療情報入力方法の実施例を図面に基づいて詳細に説明する。なお、この実施例によりこの発明が限定されるものではない。各実施例は、処理内容を矛盾させない範囲で適宜組み合わせることが可能である。
【実施例１】
【００１４】
［構成］
実施例１に係る診療情報入力装置の機能構成の一例について説明する。図１は、実施例１に係る診療情報入力装置の機能構成を示すブロック図である。図１に示すように、この診療情報入力装置１００は、記憶部１１０と、制御部１２０とを有する。また、診療情報入力装置１００は、入力装置１０１と、出力装置１０２とに接続される。診療情報入力装置１００は、例えば、パーソナルコンピュータに対応する。
【００１５】
入力装置１０１は、各種情報の入力を受け付ける。例えば、入力装置１０１は、受診者の電子カルテを表示する指示の入力を利用者から受け付ける。例えば、入力装置１０１は、診療情報の入力を医師から受け付ける。例えば、入力装置１０１は、再診や検査の予約に関する指示の入力を医師から受け付ける。また、例えば、入力装置１０１は、受け付けた各種情報の入力を実行部１２１に出力する。例えば、入力装置１０１は、キーボードやマウス、媒体読み取り装置、あるいは温度計や湿度計などの各種センサに対応する。なお、利用者は、例えば、医師や看護師、薬剤師など医療従事者を含む。また、受診者は、例えば、病人やけが人などの患者のみならず、健康診断を受診する者や妊産婦などの健常者も含む。また、以下では、診療情報入力装置１００において用いられるカルテを「電子カルテ」と記載する。
【００１６】
出力装置１０２は、各種情報を出力する。例えば、出力装置１０２は、診療情報を出力する出力画面を表示する。また、例えば、出力装置１０２は、利用者が電子カルテに診療情報を入力するための入力画面を表示する。また、例えば、出力装置１０２は、ディスプレイやモニタなどに対応する。
【００１７】
記憶部１１０は、カルテ記憶部１１１と、引継記憶部１１２とを有する。記憶部１１０は、例えば、ＲＡＭ（Random  Access  Memory）、ＲＯＭ（Read  Only  Memory）、フラッシュメモリ（Flash  Memory）などの半導体メモリ素子、ハードディスクや光ディスクなどの記憶装置に対応する。
【００１８】
カルテ記憶部１１１は、受診者に関する診療情報が登録された電子カルテを記憶する。また、カルテ記憶部１１１によって記憶される電子カルテは、後述する実行部１２１によって用いられる。例えば、実行部１２１は、入力装置１０１から受け付けた診療情報を電子カルテに登録する。また、例えば、実行部１２１は、カルテ記憶部１１１から読み出した電子カルテを出力装置１０２に出力し、出力装置１０２に表示させる。なお、以下では、電子カルテに登録される情報を「診療情報」と記載する。なお、患者ごとに電子カルテは登録される。さらに、患者が複数回の診療を受けた場合には、複数の診療情報が、当該患者の電子カルテに登録される。
【００１９】
引継記憶部１１２は、検査を含む複数の検査の種別ごとに、再診予約日を検査予約日に利用可能か否かを示す情報とを対応付けて記憶する。例えば、引継記憶部１１２は、検査の種別と、入力済みの再診予約日を検査予約日に引継ぎ可能か否かを示す情報とを対応付けて記憶する。図２は、引継記憶部のデータ構造の一例を示す図である。図２に示すように、引継記憶部１１２は、例えば、「検査種別」と、「引継可否」とを対応付けて記憶する。このうち、検査種別は、検査の種別を示す。引継可否は、入力済みの再診予約日が検査予約日に引継ぎ可能か否かを示す。入力済みの再診予約日が検査予約日に引継ぎ可能であるとは、検査の予約日を、入力済みの再診予定日と同日に設定可能であることを言う。例えば、引継可否「○」は、入力済みの再診予約日が検査予約日に引継ぎ可能であることを示す。また、例えば、引継可否「×」は、入力済みの再診予約日が検査予約日に引継ぎ可能でないことを示す。例えば、引継可能な検査は、検査の当日に検査結果が出る種別の検査や、予約枠の指定を要しない種別の検査である。なお、再診予約日は、次回の診察の予約日であり、検査予約日は、検査の予約日である。また、引継記憶部１１２は、記憶部の一例である。なお、引継記憶部１１２は、利用可能である検査種別のみを記憶する構成でも良い。また、引継ぎとは、コンピュータが、エディタ上の再診予約日を取得して、予約画面の検査予約日に利用することである。
【００２０】
図２に示すように、引継記憶部１１２は、例えば、検査種別「レントゲン」と、引継可否「○」とを対応付けて記憶する。つまり、引継記憶部１１２は、レントゲンが入力済みの再診予約日が検査予約日に引継ぎ可能な検査であることを記憶する。また、引継記憶部１１２は、他の検査種別についても同様に記憶する。なお、引継記憶部１１２が記憶する検査種別と引継可否との対応関係は、診療情報入力装置１００を利用する者が任意に設定してよい。
【００２１】
制御部１２０は、実行部１２１と、判定部１２２と、出力部１２３とを有する。制御部１２０の機能は、例えば、ＡＳＩＣ（Application  Specific  Integrated  Circuit）やＦＰＧＡ（Field  Programmable  Gate  Array）などの集積回路により実現することができる。また、制御部１２０の機能は、例えば、ＣＰＵ（Central  Processing  Unit）が所定のプログラムを実行することで実現することができる。
【００２２】
実行部１２１は、電子カルテの登録、編集、更新、表示などに関する種々の処理を実行する。例えば、実行部１２１は、患者の診療情報を表示する表示画面に再診予約日の入力を受け付ける。また、例えば、実行部１２１は、受診者の電子カルテを表示する指示の入力を入力装置１０１から受け付けて、カルテ記憶部１１１から電子カルテを取得する。実行部１２１は、取得した電子カルテに、今回の診療にかかる診療情報を表示する出力画面、あるいは、利用者が電子カルテに診療情報を入力するための入力画面を出力装置１０２に表示させる。なお、これらの出力画面及び入力画面は、エディタの機能により出力装置１０２に表示される画面である。エディタの機能により出力装置１０２に表示される出力画面及び入力画面を「エディタ画面」と呼ぶこととする。
【００２３】
図３は、実行部により出力されるエディタ画面の一例を示す図である。図３に示すように、エディタ画面３ａは、例えば、識別情報「０７７」で識別される受診者に関するエディタ画面であり、プログレスノートについて入力された領域３ｂと、再診予約・他科診について入力された領域３ｃと、検査予約について入力された領域３ｄとを含む。このうち、プログレスノートは、例えば、今回の診察の記録である。例えば、領域３ｂは、受診者が２０１１年３月４日に外科を外来で受診し、医師である「医師ほのか」氏により診察され、プログレスノートが作成されたことを示す。また、領域３ｂは、「ＳＯＡＰ形式」でプログレスノートが作成された場合を示す。つまり、「Ｓ」は主観的情報、「Ｏ」は客観的情報、「Ａ」は評価、「Ｐ」は今後のプランに関する記載であることを示す。また、再診予約・他科診は、例えば、次回の診察の予約に関する情報である。例えば、領域３ｃは、受診者が２０１１年３月２５日に外科を外来で受診する旨の予約を、「医師ほのか」氏が２０１１年３月４日に登録したことを示す。また、検査予約は、例えば、検査の予約に関する情報である。例えば、領域３ｄは、受診者が２０１１年３月２５日にレントゲン検査を受ける旨の予約を、「医師ほのか」氏が２０１１年３月４日に登録したことを示す。なお、エディタ画面で入力された情報３ｂ乃至３ｄを含む情報が、今回の診療にかかる診療情報として、電子カルテに登録される。
【００２４】
例えば、実行部１２１は、エディタ画面に対して入力されたプログレスノートに関する診療情報を入力装置１０１から受け付ける。実行部１２１は、受け付けたプログレスノートに関する診療情報をエディタ画面の領域３ｂに展開する。実行部１２１は、エディタ画面に表示された診療情報を電子カルテに登録する旨の指示を入力装置１０１から受け付けて、診療情報を電子カルテに登録し、電子カルテをカルテ記憶部１１１に格納する。
【００２５】
また、例えば、実行部１２１は、再診の予約に関する指示を入力装置１０１から受け付けて、再診の予約画面を出力装置１０２に表示させ、予約画面を介して再診の内容や再診予約日などの再診予約に関する診療情報を入力装置１０１から受け付ける。実行部１２１は、再診予約に関する診療情報を受け付けた場合に、エディタ画面に領域３ｃを展開する。実行部１２１は、再診予約に関する診療情報を電子カルテに登録する旨の指示を入力装置１０１から受け付けて、診療情報を電子カルテに登録したり、再診にかかるオーダを発行したりする。
【００２６】
また、例えば、実行部１２１は、検査の予約の作成指示を受け付けて、検査の予約画面を出力装置１０２に表示させ、予約画面を介して検査の内容や検査予約日などの検査予約に関する診療情報を受け付ける。実行部１２１は、検査予約に関する診療情報の入力を受け付けた場合に、エディタ画面に領域３ｄを展開する。実行部１２１は、検査予約に関する診療情報を電子カルテに登録する旨の指示を受け付けると、診療情報を電子カルテに登録したり、検査にかかるオーダを発行したりする。
【００２７】
判定部１２２は、患者に実施される検査の予約画面の表示要求を受け付けた場合に、引継記憶部１１２を参照し、実行部が受け付けた再診予約日を検査予約日に利用可能か否かを判定する。例えば、判定部１２２は、検査の予約画面を表示する旨の指示を受け付けた場合に、引継記憶部１１２を参照し、予約にかかる検査が入力済みの再診予約日を検査予約日に引継ぎ可能か否かを判定する。例えば、判定部１２２は、検査一覧から予約にかかる検査が選択された場合に、予約にかかる検査について引継記憶部１１２を参照し、予約にかかる検査が再診予約日を引継可能か否かを判定する。
【００２８】
図４は、検査一覧の表示画面の一例を示す図である。図４に示すように、検査一覧画面４ａは、医療機関において実施される種々の検査を指定するためのボタンを含む。例えば、検査一覧画面４ａからレントゲンを指定するボタン４ｂが選択されると、判定部１２２は、図２に示した引継記憶部１１２を参照する。図２において、検査種別「レントゲン」に引継可否「○」が対応付けられているので、判定部１２２は、レントゲンが入力済みの再診予約日を検査予約日に引継ぎ可能な検査であると判定する。そして、判定部１２２は、例えば、判定結果を出力部１２３に出力する。
【００２９】
出力部１２３は、判定部１２２によって利用可能と判定された場合に、再診予約日を検査予約日に利用可能な形式で予約画面を出力する。例えば、出力部１２３は、予約にかかる検査が再診予約日を引継ぎ可能である場合には、次回診察日ボタンを含む予約画面を出力装置１０２に出力する。この次回診察日ボタンは、入力済みの再診予約日を検査予約日に引継ぐ指示を受け付けるボタンである。また、例えば、出力部１２３は、判定部１２２によって利用可能と判定された場合に、予約画面に含まれる検査予約日入力フィールドに、現在日付を初期表示するとともに、入力済みの再診予約日を検査予約日に利用する指示を受け付けるボタンを含む予約画面を出力する。
【００３０】
図５は、出力部により出力される予約画面の一例を示す図である。図５に示す例では、２０１１年３月２５日にレントゲンを行う旨の予約が、２０１１年３月４日に登録される場合を説明する。図５に示すように、予約画面５ａは、検査予約日が入力されるフィールド５ｂと、次回診察日ボタン５ｃとを含む。このフィールド５ｂには、現在の日付、すなわち「２０１１／０３／０４」がデフォルトで表示される。例えば、出力部１２３は、レントゲンが再診予約日を引継ぎ可能であるので、次回診察日ボタン５ｃを含む予約画面５ａを出力装置１０２に表示させる。なお、例えば、出力部１２３は、再診予約日を引継ぎ可能でない検査の予約画面を出力する場合には、次回診察日ボタン５ｃを含まない予約画面５ａを出力装置１０２に表示させる。
【００３１】
また、例えば、出力部１２３は、出力した予約画面に含まれる次回診察日ボタンが押下された場合には、エディタ画面に入力済みの再診予約日があるか否かを判定する。再診予約日がある場合には、出力部１２３は、直近の再診予約日を検査予約日として出力装置１０２に表示させる。一方、再診予約日がない場合には、出力部１２３は、「エディタ画面に再診予約日がありません」とメッセージを出力装置１０２に表示させる。なお、図５のフィールド５ｂには、現在日付が表示される。通常、検査部門で検査可能な検査枠に制限のない検査は、今回の診療後に検査も実施する場合と、次回の診療に併せて検査を実施する場合のいずれかである場合が多い。よって、予約画面において、フィールド５ｂに現在日時を初期設定するとともに、次回診察日ボタン５ｃを配置することにより、ユーザは、検査日付として設定する可能性が高い２つの日付のうちいずれかを、容易に設定することができる。
【００３２】
図６は、出力部により出力される予約画面の一例を示す図である。図６に示す例では、図５に示した予約画面５ａにおいて、次回診察日ボタン５ｃが押下された場合を説明する。また、ここでは、エディタ画面３ａに入力済みの再診予約日「２０１１／０３／２５」が入力されているものとして説明する。図５に示した予約画面５ａにおいて次回診察ボタン５ｃが押下されると、エディタ画面３ａに入力済みの再診予約日があるので、出力部１２３は、図６に示すように、フィールド５ｂに「２０１１／０３／２５」を表示させる。また、例えば、出力部１２３は、入力済みの再診予約日が表示されたフィールド５ｂの背景色を変更する。また、例えば、出力部１２３は、入力済みの再診予約日を表示したフィールド５ｂにマウスポインタが重ねられた場合には、「再診予約・他科診の日付（２０１１／０３／２５）を引き継ぎました」というツールチップ６ａを表示させる。なお、例えば、出力部１２３は、エディタ画面３ａに入力済みの再診予約日がない場合には、「エディタ画面に再診予約日がありません」というメッセージを出力装置１０２に表示させる。また、例えば、エディタ画面３ａに入力済みの再診予約日「２０１１／０３／２５」及び「２０１１／０３／３１」がある場合には、出力部１２３は、現在の日付に直近の再診予約日として「２０１１／０３／２５」をフィールド５ｂに表示させる。
【００３３】
［処理］
次に、実施例１に係る診療情報入力装置１００の処理手順について説明する。図７は、実施例１に係る診療情報入力装置の処理手順を示すフローチャートである。図７に示す処理は、例えば、図示した各装置に電源から電力が供給される間、所定時間間隔で実行される。
【００３４】
図７に示すように、例えば、検査の予約画面を表示する旨の指示を受け付けると（ステップＳ１０１Ｙｅｓ）、判定部１２２は、引継記憶部１１２を参照し、予約にかかる検査が再診予約日を引継ぎ可能か否かを判定する（ステップＳ１０２）。
【００３５】
予約にかかる検査が再診予約日を引継ぎ可能である場合には（ステップＳ１０２Ｙｅｓ）、出力部１２３は、次回診察日ボタンを含む予約画面を出力装置１０２に表示させ（ステップＳ１０３）、処理を終了する。
【００３６】
一方、予約にかかる検査が再診予約日を引継ぎ可能でない場合には（ステップＳ１０２Ｎｏ）、出力部１２３は、次回診察日ボタンを含まない予約画面を出力装置１０２に表示させ（ステップＳ１０４）、処理を終了する。
【００３７】
また、次回診察日ボタンが押下された場合の診療情報入力装置１００の処理手順について説明する。図８は、実施例１に係る診療情報入力装置の処理手順を示すフローチャートである。図８に示すように、例えば、次回診察日ボタンが押下されると（ステップＳ２０１Ｙｅｓ）、判定部１２２は、エディタ画面に再診予約日があるか否かを判定する（ステップＳ２０２）。
【００３８】
エディタ画面に再診予約日がある場合には（ステップＳ２０２Ｙｅｓ）、出力部１２３は、直近の再診予約日を検査予約日として表示させ（ステップＳ２０３）、処理を終了する。一方、エディタ画面に再診予約日がない場合には（ステップＳ２０２Ｎｏ）、出力部１２３は、「エディタ画面に再診予約日がありません」とメッセージを表示させ（ステップＳ２０４）、処理を終了する。
【００３９】
［効果］
次に、実施例１に係る診療情報入力装置１００の効果について説明する。診療情報入力装置１００は、患者の診療情報を表示する表示画面に再診予約日の入力を受け付ける。診療情報入力装置１００は、患者に実施される検査の予約画面の表示要求を受け付けた場合に、検査を含む複数の検査の種別ごとに、再診予約日を検査予約日に利用可能か否かを示す情報とを対応付けて記憶する記憶部を参照する。診療情報入力装置１００は、受け付けた再診予約日を検査予約日に利用可能か否かを判定する。診療情報入力装置１００は、判定部によって利用可能と判定された場合に、再診予約日を検査予約日に利用可能な形式で予約画面を出力する。このため、診療情報入力装置１００は、医師の入力負担を軽減することができる。また、診療情報入力装置１００は、エディタ画面上に再診予約日があるか否かを判定するため、今回の診療科にかかる再診予約日を、効率的に検査予約に引き継ぐことができる。つまりは、他科の再診予約が存在した場合であっても、自科の再診日を検査予約に引き継ぐことができる。
【００４０】
例えば、外来の受診者に対して再診と検査を行う場合に、受診者の負担を考慮して再診の予約日と検査の予約日とを同日にする場合がある。この場合、予約にかかる検査が再診予約日を引継ぎ可能であれば、診療情報入力装置１００は、次回診察日ボタンの押下に応じて入力済みの再診予約日を検査予約日に引継ぐので、同じ日付を入力する必要がなくなり、医師の入力負担を軽減することができる。また、検査実施日当日に検査結果が出る検査であれば、再診予約日に、診療に先駆けて検査を実施することで、医師は検査結果を踏まえて、診療を行うことができる。そこで、当日に検査結果が出る検査種別は、再診予約日に検査を実施することが望ましい。つまり、当日に検査結果がでる検査種別を、引継ぎ可能な検査種別とすることで、患者にとっては来院回数を最小限とすることができるとともに医師は効果的な診療が可能となる。
【００４１】
また、例えば、予約にかかる検査が、検査結果が出るまでに日数を要する場合や検査部門に検査の予約枠が設定されている場合には、診療情報入力装置１００は、予約画面に次回診察日ボタンを表示しない。このため、診療情報入力装置１００は、入力済みの再診予約日が誤って検査予約日に引継がれることを防ぐので、検査予定日を再入力する必要がなくなり、医師の入力負担を軽減することができる。
【実施例２】
【００４２】
実施例１では、検査予約日が入力されるフィールドに現在の日付がデフォルトで表示され、入力済みの再診予約日が次回診察日ボタンによって表示される場合を説明した。しかし、本発明は、検査予約日が入力されるフィールドに入力済みの再診予約日が表示されてもよい。そこで、実施例２では、検査予約日が入力されるフィールドに入力済みの再診予約日が展開される場合を説明する。
【００４３】
［構成］
実施例２に係る診療情報入力装置の機能構成の一例について説明する。図９は、実施例２に係る診療情報入力装置の機能構成を示すブロック図である。図９に示すように、この診療情報入力装置２００は、記憶部１１０と、第２の制御部２１０とを有する。また、診療情報入力装置２００は、入力装置１０１と、出力装置１０２とに接続される。このうち、図９に示す入力装置１０１、出力装置１０２、記憶部１１０の説明は、図１に示した入力装置１０１、出力装置１０２、記憶部１１０の説明とそれぞれ同じである。
【００４４】
第２の制御部２１０は、実行部１２１と、判定部１２２と、第２の出力部２１１とを有する。このうち、図９に示す実行部１２１、判定部１２２の説明は、図１に示した実行部１２１、判定部１２２の説明とそれぞれ同じである。第２の制御部２１０の機能は、例えば、ＡＳＩＣ（Application  Specific  Integrated  Circuit）やＦＰＧＡ（Field  Programmable  Gate  Array）などの集積回路により実現することができる。また、第２の制御部２１０の機能は、例えば、ＣＰＵ（Central  Processing  Unit）が所定のプログラムを実行することで実現することができる。
【００４５】
第２の出力部２１１は、判定部１２２によって再診予約日が検査予約日に引継ぎ可能と判定された場合に、入力済みの再診予約日を検査予約日に引継いだ形式の予約画面を出力装置１０２に表示させる。例えば、第２の出力部２１１は、予約にかかる検査が再診予約日を引継ぎ可能である場合には、入力済みの再診予約日のうち直近の再診予約日を予約画面の検査予約日に表示させる。第２の出力部２１１は、再診予約日を表示させた予約画面を出力装置１０２に表示させる。
【００４６】
図１０は、出力部により出力される予約画面の一例を示す図である。図１０に示す例では、２０１１年３月２５日にレントゲンを行う旨の予約が、２０１１年３月４日に登録される場合を説明する。また、ここでは、エディタ画面に入力済みの再診予約日「２０１１／０３／２５」があるものとして説明する。図１０に示すように、予約画面１０ａは、検査予約日が入力されるフィールド１０ｂと、現在日付ボタン１０ｃとを含む。例えば、第２の出力部２１１は、レントゲンが再診予約日を引継ぎ可能であるので、フィールド１０ｂに「２０１１／０３／２５」を表示させる。また、例えば、第２の出力部２１１は、再診予約日を展開したフィールド１０ｂにマウスポインタが重ねられた場合には、「再診予約・他科診の日付（２０１１／０３／２５）を引き継ぎました」というツールチップ１０ｄを表示させる。また、例えば、第２の出力部２１１は、現在日付ボタン１０ｃが押下されると、現在の日付、すなわち「２０１１／０３／０４」をフィールド１０ｂに表示させる。そして、第２の出力部２１１は、予約画面１０ａを出力装置１０２に出力する。なお、例えば、エディタ画面に入力済みの再診予約日「２０１１／０３／２５」及び「２０１１／０３／３１」がある場合には、第２の出力部２１１は、現在の日付に直近の再診予約日として「２０１１／０３／２５」をフィールド１０ｂに表示させる。また、例えば、第２の出力部２１１は、再診予約日を引継ぎ可能でない検査の予約画面を出力する場合には、検査予約日を空欄とした予約画面１０ａを出力装置１０２に表示させる。
【００４７】
［処理］
次に、実施例２に係る診療情報入力装置２００の処理手順について説明する。図１１は、実施例２に係る診療情報入力装置の処理手順を示すフローチャートである。図１１に示す処理は、例えば、図示した各装置に電源から電力が供給される間、所定時間間隔で実行される。
【００４８】
図１１に示すように、例えば、検査の予約画面を表示する旨の指示を受け付けると（ステップＳ３０１Ｙｅｓ）、判定部１２２は、引継記憶部１１２を参照し、予約にかかる検査が再診予約日を引継ぎ可能か否かを判定する（ステップＳ３０２）。
【００４９】
予約にかかる検査が再診予約日を引継ぎ可能である場合には（ステップＳ３０２Ｙｅｓ）、第２の出力部２１１は、直近の再診予約日を表示させた予約画面を出力装置１０２に表示させ（ステップＳ３０３）、処理を終了する。
【００５０】
一方、予約にかかる検査が再診予約日を引継ぎ可能でない場合には（ステップＳ３０２Ｎｏ）、第２の出力部２１１は、検査予約日を空欄とした予約画面を出力装置１０２に表示させ（ステップＳ３０４）、処理を終了する。
【００５１】
［効果］
次に、実施例２に係る診療情報入力装置２００の効果について説明する。診療情報入力装置２００は、検査の予約画面を表示する旨の要求を受け付けた場合に、検査の種別と、入力済みの再診予約日を検査予約日に引継ぎ可能か否かを示す情報とを対応付けて記憶する記憶部を参照する。診療情報入力装置２００は、予約にかかる検査が入力済みの再診予約日を検査予約日に引継ぎ可能か否かを判定する。診療情報入力装置２００は、予約にかかる検査を引継ぎ可能と判定した場合に、入力済みの再診予約日を検査予約日に引継いだ形式で予約画面を出力する。このため、診療情報入力装置２００は、医師の入力負担を軽減することができる。
【００５２】
例えば、外来の受診者に対して再診と検査を行う場合に、受診者の負担を考慮して再診の予約日と検査の予約日とを同日にする場合がある。この場合、予約にかかる検査が再診予約日を引継ぎ可能であれば、診療情報入力装置２００は、入力済みの再診予約日を検査予約日に引継いだ予約画面を表示するので、同じ日付を入力する必要がなくなり、医師の入力負担を軽減することができる。
【実施例３】
【００５３】
さて、これまで本発明の実施例について説明したが、本発明は上述した実施例以外にも、その他の実施例にて実施されても良い。そこで、以下では、その他の実施例について説明する。
【００５４】
［データセンタ］
実施例１，２では、診療情報入力装置１００，２００が医療機関に設置される場合を説明したが、本発明はこれに限定されるものではない。例えば、診療情報入力装置１００，２００は、複数の医療機関に接続されたデータセンタに適用されても良い。図１２は、データセンタへの適用例を説明するための図である。図１２に示すように、データセンタ２０は、例えば、ネットワーク１０を介してクライアント３０ａ，３０ｂ・・・と接続される。ネットワーク１０には、有線又は無線を問わず、インターネット（Internet）、ＷＡＮ（Wide  Area  Network）などの任意の種類の通信網を採用できる。また、クライアント３０ａ，３０ｂ・・・は、複数の医療機関に分散して設置される。また、データセンタ２０は、サーバ装置２１ａ，２１ｂ・・・と、記憶装置２２ａ，２２ｂ・・・とを有する。なお、ここでは、クライアント３０ａ，３０ｂ・・・を区別なく述べる場合にクライアント３０と総称する。また、サーバ装置２１ａ，２１ｂ・・・を区別なく述べる場合にサーバ装置２１と総称する。また、記憶装置２２ａ，２２ｂ・・・を区別なく述べる場合に記憶装置２２と総称する。
【００５５】
例えば、データセンタ２０は、サーバ装置２１を用いて、図１及び図９に示した診療情報入力装置１００，２００の機能を仮想マシンとして実現する。また、例えば、データセンタ２０は、記憶装置２２を用いて、図１及び図９に示したカルテ記憶部１１１と、引継記憶部１１２とを病院ごとに区別して記憶する。
【００５６】
例えば、データセンタ２０において、診療情報入力装置１００，２００の機能を担う仮想マシンである診療情報入力ＶＭ（Virtual  Machine）は、次のように処理を実行する。すなわち、診療情報入力ＶＭは、患者の診療情報を表示する表示画面に再診予約日の入力を受け付ける。診療情報入力ＶＭは、患者に実施される検査の予約画面の表示要求を受け付けた場合に、検査を含む複数の検査の種別ごとに、再診予約日を検査予約日に利用可能か否かを示す情報とを対応付けて記憶する記憶部を参照する。診療情報入力ＶＭは、受け付けた再診予約日を検査予約日に利用可能か否かを判定する。診療情報入力ＶＭは、判定部によって利用可能と判定された場合に、再診予約日を検査予約日に利用可能な形式で予約画面を出力する。このため、診療情報入力ＶＭは、医師の入力負担を軽減することができる。
【００５７】
［その他］
また、例えば、実施例１，２において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上述文書中や図面中で示した処理手順、制御手順、具体的名称、各種のデータやパラメータを含む情報については、特記する場合を除いて任意に変更することができる。
【００５８】
また、図１及び図９に示した診療情報入力装置１００，２００の各構成要素は機能概念的なものであり、必ずしも物理的に図示の如く構成されていることを要しない。すなわち、診療情報入力装置１００，２００の分散・統合の具体的形態は図示のものに限られず、その全部または一部を、各種の負荷や使用状況などに応じて、任意の単位で機能的または物理的に分散・統合して構成することができる。例えば、診療情報入力装置１００，２００にネットワークを介して外部記憶装置を接続し、記憶部１１０が記憶する情報を外部記憶装置が記憶するようにしても良い。
【００５９】
また、診療情報入力装置１００，２００は、診療情報入力装置１００，２００の各機能を既知の情報処理装置に搭載することによって実現することもできる。既知の情報処理装置は、例えば、パーソナルコンピュータ、ワークステーション、携帯電話、ＰＨＳ（Personal  Handy-phone  System）端末、移動体通信端末またはＰＤＡ（Personal  Digital  Assistant）などの装置に対応する。
【００６０】
［プログラム］
図１３は、診療情報入力プログラムを実行するコンピュータの一例を示す図である。図１３に示すように、コンピュータ３００は、各種演算処理を実行するＣＰＵ３０１と、ユーザからデータの入力を受け付ける入力装置３０２と、モニタ３０３とを有する。また、コンピュータ３００は、記憶媒体からプログラム等を読み取る媒体読み取り装置３０４と、他の装置と接続するためのインターフェース装置３０５と、他の装置と無線により接続するための無線通信装置３０６とを有する。また、コンピュータ３００は、各種情報を一時記憶するＲＡＭ（Random  Access  Memory）３０７と、ハードディスク装置３０８とを有する。また、各装置３０１〜３０８は、バス３０９に接続される。
【００６１】
ハードディスク装置３０８には、図１，９に示した判定部１２２及び出力部１２３，２１１との各処理部と同様の機能を有する診療情報入力プログラムが記憶される。また、ハードディスク装置３０８には、診療情報入力プログラムを実現するための各種データが記憶される。
【００６２】
ＣＰＵ３０１は、ハードディスク装置３０８に記憶された各プログラムを読み出して、ＲＡＭ３０７に展開し、各種の処理を行う。また、これらのプログラムは、コンピュータを図１，９に示した判定部１２２及び出力部１２３，２１１として機能させることができる。
【００６３】
なお、上記の診療情報入力プログラムは、必ずしもハードディスク装置３０８に記憶されている必要はない。例えば、コンピュータが読み取り可能な記録媒体に記憶されたプログラムを、コンピュータ３００が読み出して実行するようにしても良い。コンピュータが読み取り可能な記録媒体は、例えば、ＣＤ−ＲＯＭやＤＶＤディスク、ＵＳＢメモリ等の可搬型記録媒体、フラッシュメモリ等の半導体メモリ、ハードディスクドライブ等が対応する。また、公衆回線、インターネット、ＬＡＮ（Local  Area  Network）、ＷＡＮ（Wide  Area  Network）等に接続された装置にこのプログラムを記憶させておき、コンピュータ３００がこれらからプログラムを読み出して実行するようにしても良い。
【００６４】
以上の各実施例を含む実施形態に関し、さらに以下の付記を開示する。
【００６５】
（付記１）患者の診療情報を表示する表示画面に再診予約日の入力を受け付ける実行部と、
前記患者に実施される検査の予約画面の表示要求を受け付けた場合に、該検査を含む複数の検査の種別ごとに、再診予約日を検査予約日に利用可能か否かを示す情報を記憶する記憶部を参照し、実行部が受け付けた前記再診予約日を検査予約日に利用可能か否かを判定する判定部と、
前記判定部によって利用可能と判定された場合に、前記再診予約日を前記検査予約日に利用可能な形式で前記予約画面を出力する出力部と
を備えたことを特徴とする診療情報入力装置。
【００６６】
（付記２）前記出力部は、前記判定部によって利用可能と判定された場合に、前記予約画面に含まれる検査予約日入力フィールドに、現在日付を初期表示するとともに、入力済みの再診予約日を検査予約日に利用する指示を受け付けるボタンを含む予約画面を出力することを特徴とする付記１に記載の診療情報入力装置。
【００６７】
（付記３）前記判定部は、前記検査が当日に検査結果が出る種別の検査である場合に、利用可能と判定することを特徴とする付記１又は２に記載の診療情報入力装置。
【００６８】
（付記４）前記判定部は、前記検査が予約枠の指定を要しない種別の検査である場合に、利用可能と判定することを特徴とする付記１〜３のうちいずれか一つに記載の診療情報入力装置。
【００６９】
（付記５）コンピュータに、
患者に実施される検査の予約画面の表示要求を受け付けた場合に、該検査を含む複数の検査の種別ごとに、再診予約日を検査予約日に利用可能か否かを示す情報とを対応付けて記憶する記憶部を参照し、前記患者の診療情報を表示する表示画面に入力された再診予約日を検査予約日に利用可能か否かを判定し、
前記利用可能か否かを判定する処理によって利用可能と判定された場合に、前記再診予約日を前記検査予約日に利用可能な形式で前記予約画面を出力する
処理を実行させることを特徴とする診療情報入力プログラム。
【００７０】
（付記６）前記予約画面を出力する処理は、前記利用可能か否かを判定する処理によって利用可能と判定された場合に、前記予約画面に含まれる検査予約日入力フィールドに、現在日付を初期表示するとともに、入力済みの再診予約日を検査予約日に利用する指示を受け付けるボタンを含む予約画面を出力することを特徴とする付記５に記載の診療情報入力プログラム。
【００７１】
（付記７）前記利用可能か否かを判定する処理は、前記検査が当日に検査結果が出る種別の検査である場合に、利用可能と判定することを特徴とする付記５又は６に記載の診療情報入力プログラム。
【００７２】
（付記８）前記利用可能か否かを判定する処理は、前記検査が予約枠の指定を要しない種別の検査である場合に、利用可能と判定することを特徴とする付記５〜７のうちいずれか一つに記載の診療情報入力プログラム。
【００７３】
（付記９）ネットワークを介して端末に接続されたサーバ装置によって実行される診療情報入力方法であって、
患者に実施される検査の予約画面の表示要求を受け付けた場合に、該検査を含む複数の検査の種別ごとに、再診予約日を検査予約日に利用可能か否かを示す情報とを対応付けて記憶する記憶部を参照し、前記患者の診療情報を表示する表示画面に入力された再診予約日を検査予約日に利用可能か否かを判定し、
前記利用可能か否かを判定する処理によって利用可能と判定された場合に、前記再診予約日を前記検査予約日に利用可能な形式で前記予約画面を出力する
ことを特徴とする診療情報入力方法。
【００７４】
（付記１０）前記予約画面を出力する処理は、前記利用可能か否かを判定する処理によって利用可能と判定された場合に、前記予約画面に含まれる検査予約日入力フィールドに、現在日付を初期表示するとともに、入力済みの再診予約日を検査予約日に利用する指示を受け付けるボタンを含む予約画面を出力することを特徴とする付記９に記載の診療情報入力方法。
【００７５】
（付記１１）前記利用可能か否かを判定する処理は、前記検査が当日に検査結果が出る種別の検査である場合に、利用可能と判定することを特徴とする付記９又は１０に記載の診療情報入力方法。
【００７６】
（付記１２）前記利用可能か否かを判定する処理は、前記検査が予約枠の指定を要しない種別の検査である場合に、利用可能と判定することを特徴とする付記９〜１１のうちいずれか一つに記載の診療情報入力方法。
【符号の説明】
【００７７】
１０      ネットワーク
２０      データセンタ
２１，２１ａ，２１ｂ      サーバ装置
２２，２２ａ，２２ｂ      記憶装置
３０，３０ａ，３０ｂ      クライアント
１００，２００      診療情報入力装置
１０１      入力装置
１０２      出力装置
１１０      記憶部
１１１      カルテ記憶部
１１２      引継記憶部
１２０，２１０      制御部
１２１      実行部
１２２      判定部
１２３，２１１      出力部
３００      コンピュータ
３０１      ＣＰＵ
３０２      入力装置
３０３      モニタ
３０４      媒体読み取り装置
３０５      インターフェース装置
３０６      無線通信装置
３０７      ＲＡＭ
３０８      ハードディスク装置
３０９      バス
【図１】
0005754291.tif 000002
【図２】
0005754291.tif 000003
【図３】
0005754291.tif 000004
【図４】
0005754291.tif 000005
【図５】
0005754291.tif 000006
【図６】
0005754291.tif 000007
【図７】
0005754291.tif 000008
【図８】
0005754291.tif 000009
【図９】
0005754291.tif 000010
【図１０】
0005754291.tif 000011
【図１１】
0005754291.tif 000012
【図１２】
0005754291.tif 000013
【図１３】
0005754291.tif 000014